(57)【要約】【課題】  施工において、間仕切りを自立させることができ、間仕切りの施工を容易とできるとともに、第１室と第２室との相互間で音が伝播されにくくなる防音性能に優れた仕切部床構造を得る。【解決手段】  本発明は、間仕切りにより廊下１（第１室）と寝室２（第２室）とが区画された仕切部床構造において、廊下１の床４を形成する床材９と、廊下１の床４の端部５側の床面６上に設けられた間仕切り３と、寝室２の床７を形成する床材８とで形成され、寝室２の床材８が間仕切り３及び廊下１の床材９との間に隙間Ｈ１〜Ｈ３を隔てて配置された。【選択図】        図１
2006028952.tif 000002
【特許請求の範囲】
【請求項１】
間仕切りにより第１室と第２室とが区画された仕切部床構造において、第１室の床を形成する床材と、第１室の床の端部側の床面上に設けられた間仕切りと、第２室の床を形成する床材とで形成され、第２室の床材が間仕切り及び第１室の床材との間に隙間を隔てて配置されたことを特徴とする仕切部床構造。
【請求項２】
間仕切りの下に位置する第１室の床の端部側の下及び第２室の床材の間仕切り側の端部側の下に防振具付きの床支持具が設けられたことを特徴とする請求項１に記載の仕切部床構造。
【発明の詳細な説明】
【技術分野】
【０００１】
本発明は間仕切り部分などの仕切部の床構造に関する。
【背景技術】
【０００２】
床材を床支持具で支持して第１室と第２室の床を先行して施工した後に、この第１室と第２室とを仕切る間仕切りを施工した構造が知られている。この間仕切りは、別の床材上に構築しておき、この別の床材を床支持具で支持する。この別の床材は、第１室の床材と第２室の床材との間に隙間を隔てて配置され、これにより、第１室の床材と第２室の床材との縁が切られている構造のため、室間においての音の伝搬を少なくでき、防音性能効果の高い仕切部床構造が得られる。
【特許文献１】特開２０００−２７４１６号公報
【発明の開示】
【発明が解決しようとする課題】
【０００３】
特許文献１では、間仕切りが自立しないので、先に天井を構築して間仕切りの上端を天井に接続しなくてはならず、施工が困難である。また、施工の際に、間仕切りが傾いて間仕切りの床材が第１室や第２室の床材と接触してしまって縁が切れずに防音性能が得られない場合がある。
【課題を解決するための手段】
【０００４】
本発明は、間仕切りにより第１室と第２室とが区画された仕切部床構造において、第１室の床を形成する床材と、第１室の床の端部側の床面上に設けられた間仕切りと、第２室の床を形成する床材とで形成され、第２室の床材が間仕切り及び第１室の床材との間に隙間を隔てて配置されたことを特徴とする。
また、間仕切りの下に位置する第１室の床の端部側の下及び第２室の床材の間仕切り側の端部側の下に防振具付きの床支持具が設けられたことも特徴とする。
【発明の効果】
【０００５】
本発明によれば、施工において、間仕切りを自立させることができ、間仕切りの施工を容易とできるとともに、第１室の床材と間仕切り及び第２の床材との間に隙間を設けたので、第１室と第２室との間の縁が切れ、第１室と第２室との相互間で音が伝播されにくくなる防音性能に優れた仕切部床構造が得られる。
また、防振具付きの床支持具で床材を支持して床を構成したので、防音性能を向上できる。
【発明を実施するための最良の形態】
【０００６】
図１は仕切部としての間仕切り部分の仕切部床構造の断面を示し、図２は仕切部としてのドア部分の仕切部床構造の断面を示し、図３はシステムネダを示す。図１において、１は第１室としての例えば廊下、２は第２室としての例えば洋室構造の寝室である。間仕切り３は廊下１の床４の端部５側の床面６上に設けられる。寝室２の床７を形成する床材８は、間仕切り３及び廊下１の床材９との間に隙間Ｈ１〜Ｈ３を隔てて配置される。床材８；９の構成は特に限定されないが、例えば、レベル調整用のパーティクルボード１１とパーティクルボード１１の上に設けられた合板１２と合板１２の上に設けられたフローリング材１３とで構成される。この構成の床材８；９を用いた場合、寝室２の床７を形成する床材８のフローリング材１３の端面１４と間仕切り３の表面１５との間の隙間Ｈ１及び床材８の合板１２の端面１６と廊下１の床材９の合板１２の端面１７との間の隙間Ｈ２は例えば３ｍｍ程度に設定され、寝室２の床７を形成する床材８のパーティクルボード１１の端面１８と廊下１の床材９のパーティクルボード１１の端面１９との間の隙間Ｈ３は例えば１５ｍｍ程度に設定される。これは、フローリング材１３及び合板１２は伸び率が小さく、パーティクルボード１１は伸び率が大きいからである。
【０００７】
廊下１の床４、寝室２の床７は、床スラブ２１に設置される防振具付きの床支持具２２とシステムネダ（根太）３０とで支持される。すなわち、間仕切り３の下に位置する廊下１の床４の端部５側、及び寝室２の床材８の間仕切り３側の端部４０側は、システムネダ３０と呼ばれる床支持具で支持される。床支持具２２は、床材が取付けられる台座２３と台座２３の上下面間に延長して設けられたナット部２４とナット部２４が螺着されてナット部２４を上下に移動可能とする支柱２５と支柱２５の下部がはめ込まれて支柱２５に伝わる振動を吸収するゴム等で形成された防振具としてのクッション部材２６とを具備して構成される。図３のように、システムネダ３０は、所定長さの長尺支持部材としての根太材３１を有し、根太材３１の両端側が支持具３２；３２で支持されたものである。支持具３２は、根太材３１の上下面間に延長して設けられたナット部３３とナット部３３が螺着されてナット部３３を上下に移動可能とする支柱３４と支柱３４の下部がはめ込まれて支柱３４に伝わる振動を吸収するゴム等で形成された防振具としてのクッション部材３５とを具備して構成される。尚、床支持具２２及びシステムネダ３０の詳細は本願出願人による特許出願の公開特許公報である特開２０００−１０４３９３号に開示されている。
【０００８】
図２に示すように、仕切部床構造のドア部分においては、ドア枠５１と敷居部材５２とが廊下１の床４の端部５側において床面６上に設けられ、寝室２の床７を形成する床材８のフローリング材１３の端面１４と敷居部材５２とが例えば１ｍｍ程度の隙間Ｈ４を隔てて配置される。ドア枠５１にはドア５３が取付けられる。尚、図２では、床支持具２２の図示を省略している。
【０００９】
次に仕切部床構造の施工方法を説明する。まず、廊下１の床４を構築する。すなわち、複数の床支持具２２及びシステムネダ３０を床スラブ２１上に決められた間隔で配置し、床支持具２２の台座２３及びシステムネダ３０の根太材３１の上にパーティクルボード１１を取付けて、ナット部２４；３３を上下調整してパーティクルボード１１の高さレベルを調整することで、床４の高さレベル調整を行う。次に、パーティクルボード１１の上に合板１２を取付ける。寝室２との境目になる合板１２の端面１７に沿って合板１２の端部側の上面４４に断面凹状の間柱保持ランナー４５を図外の平ビスなどで取付ける。間柱保持ランナー４５内に間柱４６を所定の間隔を隔てて建て込み、間柱４６の上端を図外の桁等で連結する。そして間柱４６の表面において間柱４６；４６間をまたぐように間柱４６に石膏ボード等の壁内装材４７を取付ける。そして、寝室２の床７を施工する。仕切部床構造のドア部分においては、図外のドア枠５１の取付け下地を形成した後に、このドア枠５１の取付け下地にドア枠５１を取付け、ドア枠５１の下に敷居部材５２を設けるとともに、ドア枠５１にドア５３を取付ける。尚、上述したように、寝室２の床７を形成する床材８と間仕切り３及び廊下１の床材９との間には隙間Ｈ１〜Ｈ４を設ける。壁内装材４７の下端側には巾木４８を取付ける。この巾木４８としては厚さが隙間Ｈ１より厚いものを用い、巾木４８で隙間Ｈ１が視認されないようにする。言い換えれば、隙間Ｈ１を巾木４８の厚さより狭くする。
【００１０】
本形態によれば、床４の端部５側の床面６上に間仕切り３を構築できるので、間仕切り３を自立させることができ、間仕切り３の施工を容易にできるとともに、寝室２の床材８と間仕切り３及び廊下１の床材９との間に隙間を設けたので、廊下１と寝室２との縁が切れ、廊下１からの音が寝室２に伝播されにくくなる防音性能に優れた仕切部床構造を構築できる。特に、スペース等の関係で人が行き来する廊下１と寝室２とを隣合わせとしなければならない場合に、廊下１の足音等の騒音が静寂性の求められる寝室２に伝播されるのを防止できる。
【００１１】
間仕切り３の下に位置する廊下１の床材９の端部５側、及び寝室２の床材８の間仕切り３側の端部４０側の支持に用いる床支持具としては上述した床支持具２２を用いてもよいが、本形態のようなシステムネダ３０を用いれば、作業を簡単にできる。
【００１２】
床支持としては、従来の根太や大引等を用いた床支持でもよいが、本形態のように防振具付きの床支持具を用いれば、防音性能を向上できる。
【産業上の利用可能性】
【００１３】
本発明の仕切部床構造は、マンション、一戸建て等の建築家屋に利用できる。つまり、本発明は２つの部屋間の仕切部床構造に適用できる。特に、上述したように、静寂性を求められる寝室２と喧騒な廊下１との間の仕切部に適用すれば効果的である。
【図面の簡単な説明】
【００１４】
【図１】本発明の最良形態の間仕切り部分の仕切部床構造の断面図。
【図２】本発明の最良形態のドア部分の仕切部床構造の断面図。
【図３】本発明の最良形態の仕切部床構造に使用するシステムネダを示す側面図。
【符号の説明】
【００１５】
１  廊下（第１室）、２  寝室（第２室）、３  間仕切り、４  廊下の床、
５  廊下の床の端部、６  廊下の床の端部側の床面、７  寝室の床、
８；９  床材、２２  床支持具、２６；３５  クッション部材（防振具）、
３０  システムネダ（床支持具）、Ｈ１〜Ｈ４  隙間。
【図１】
2006028952.tif 000003
【図２】
2006028952.tif 000004
【図３】
2006028952.tif 000005